(57)【要約】      （修正有）【課題】支援データの拡張セットに基づいてモバイルデバイスのロケーション推定値を判断するための装置および方法を提示する。【解決手段】拡張支援データは、（現在の）第１の地理的エリア中ではモバイルデバイスによって閲覧可能であることが予想されないが、（将来の）第２の地理的エリア中ではモバイルデバイス１０によって閲覧可能であることが予想される、セルラー基地局およびアクセスポイント４１０などの基地局のための支援データを含む。将来有用になることが予想される支援データをモバイルデバイスにシードすることによって、ネットワーク１５は、ネットワークとモバイルデバイスとの間のメッセージング、およびモバイルデバイスによるバッテリー消費を低減する。【選択図】図１
2014209747.tif 000002
【特許請求の範囲】
【請求項１】
モバイルデバイスのロケーション推定値を判断するための方法であって、
第１の地理的エリアにいる間に、拡張支援データを受信することと、ここで、前記拡張支援データは、第２の地理的エリア中では適用可能であり、前記第１の地理的エリア中では適用不可能である支援データを備える、
前記拡張支援データをメモリに保存することと、
前記第１の地理的エリアから前記第２の地理的エリアに移動することと、
前記第２の地理的エリアにいる間に、前記第２の地理的エリア中で適用可能な前記支援データを使用してロケーション情報を取得することと、
前記モバイルデバイスの前記ロケーション推定値を判断するために前記ロケーション情報を与えることと
を備える、方法。
【請求項２】
前記第２の地理的エリアは、前記モバイルデバイスの将来のロケーションの予測に基づく、請求項１に記載の方法。
【請求項３】
前記第２の地理的エリアは、一連の過去のロケーションに基づく、請求項１に記載の方法。
【請求項４】
前記第２の地理的エリアは、前記モバイルデバイスの推定軌道に基づく、請求項１に記載の方法。
【請求項５】
前記第２の地理的エリアは、前記モバイルデバイスのルートに基づく、請求項１に記載の方法。
【請求項６】
前記第２の地理的エリアは、前記モバイルデバイスの目的地に基づく、請求項１に記載の方法。
【請求項７】
前記第２の地理的エリアは、ネットワーク構成に基づく、請求項１に記載の方法。
【請求項８】
前記ネットワークから支援データを要求することをさらに備える、請求項１に記載の方法。
【請求項９】
前記ネットワークから支援データを要求する前記行為は、前記モバイルデバイスから前記ネットワークに、前記モバイルデバイスのルーティング情報を与えることを備える、請求項８に記載の方法。
【請求項１０】
前記拡張支援データは、前記第１の地理的エリア中で適用可能な支援データをさらに備える、請求項１に記載の方法。
【請求項１１】
前記第１の地理的エリア中で適用可能な前記支援データを使用して前記第１の地理的エリア中のロケーション情報を取得することをさらに備える、請求項１０に記載の方法。
【請求項１２】
前記拡張支援データを使用して、前記第１の地理的エリア内の前記ロケーション推定値を推定するための複数の信号を受信することをさらに備える、請求項１０に記載の方法。
【請求項１３】
前記拡張支援データを使用して、前記第２の地理的エリア内の前記ロケーション推定値を推定するための複数の信号を受信することをさらに備える、請求項１に記載の方法。
【請求項１４】
前記ロケーション情報を与えることは、前記モバイルデバイスによって、前記第２の地理的エリア中の前記ロケーション推定値を判断することを備える、請求項１に記載の方法。
【請求項１５】
前記ロケーション情報を与えることは、前記ロケーション情報をネットワークに送ることによって、前記ネットワークが前記ロケーション推定値を判断することを支援することを備える、請求項１に記載の方法。
【請求項１６】
ロケーション情報は、前記第２の地理的エリアからの信号測定値を備える、請求項１に記載の方法。
【請求項１７】
前記第２の地理的エリア中のロケーション推定値を判断するための前記信号測定値をネットワークに送信することをさらに備える、請求項１６に記載の方法。
【請求項１８】
モバイルデバイスのロケーション推定値を判断するためのモバイルデバイスであって、前記モバイルデバイスが、基地局受信機と、基地局送信機と、プロセッサと、メモリとを備え、前記メモリが、
第１の地理的エリアにいる間に、拡張支援データを受信することと、ここで、前記拡張支援データは、第２の地理的エリア中では適用可能であり、前記第１の地理的エリア中では適用不可能である支援データを備える、
前記拡張支援データをメモリに保存することと、
前記第２の地理的エリアにいる間に、前記第２の地理的エリア中で適用可能な前記支援データを使用してロケーション情報を取得することと、
前記モバイルデバイスの前記ロケーション推定値を判断するために前記ロケーション情報を与えることと
を行うためのコードを備える、モバイルデバイス。
【請求項１９】
前記第２の地理的エリアは、
前記モバイルデバイスの将来のロケーションの予測、
一連の過去のロケーション、
前記モバイルデバイスの推定軌道、
前記モバイルデバイスのルート、および
前記モバイルデバイスの目的地
のうちの少なくとも１つに基づく、請求項１８に記載のモバイルデバイス。
【請求項２０】
前記拡張支援データは、前記第１の地理的エリア中で適用可能な支援データをさらに備える、請求項１８に記載のモバイルデバイス。
【請求項２１】
前記拡張支援データを使用して、前記第２の地理的エリア内の前記ロケーション推定値を推定するための複数の信号を受信するためのコードをさらに備える、請求項１８に記載のモバイルデバイス。
【請求項２２】
前記ロケーション情報を与えるための前記コードは、前記モバイルデバイスによって、前記第２の地理的エリア中の前記ロケーション推定値を判断するためのコードを備える、請求項１８に記載のモバイルデバイス。
【請求項２３】
前記ロケーション情報を与えるための前記コードは、前記ロケーション情報をネットワークに送ることによって、前記ネットワークが前記ロケーション推定値を判断することを支援するためのコードを備える、請求項１８に記載のモバイルデバイス。
【請求項２４】
モバイルデバイスのロケーション推定値を判断するためのモバイルデバイスであって、
第１の地理的エリアにいる間に、拡張支援データを受信するための手段と、ここで、前記拡張支援データは、第２の地理的エリア中では適用可能であり、前記第１の地理的エリア中では適用不可能である支援データを備える、
前記拡張支援データをメモリに保存するための手段と、
前記第２の地理的エリアにいる間に、前記第２の地理的エリア中で適用可能な前記支援データを使用してロケーション情報を取得するための手段と、
前記モバイルデバイスの前記ロケーション推定値を判断するために前記ロケーション情報を与えるための手段と
を備える、モバイルデバイス。
【請求項２５】
モバイルデバイスのロケーション推定値を判断するためのモバイルデバイスであって、前記モバイルデバイスが、プロセッサと、メモリとを備え、前記メモリが、
第１の地理的エリアにいる間に、拡張支援データを受信することと、ここで、前記拡張支援データは、第２の地理的エリア中では適用可能であり、前記第１の地理的エリア中では適用不可能である支援データを備える、
前記拡張支援データをメモリに保存することと、
前記第２の地理的エリアにいる間に、前記第２の地理的エリア中で適用可能な前記支援データを使用してロケーション情報を取得することと、
前記モバイルデバイスの前記ロケーション推定値を判断するために前記ロケーション情報を与えることと
を行うための命令を備える、モバイルデバイス。
【請求項２６】
モバイルデバイスのロケーション推定値を判断するための、前記モバイルデバイスのためのそこに記憶されたプログラムコードを備えるコンピュータ可読記憶媒体であって、前記プログラムコードが、
第１の地理的エリアにいる間に、拡張支援データを受信することであって、前記拡張支援データが、第２の地理的エリア中では適用可能であり、前記第１の地理的エリア中では適用不可能である支援データを備える、受信することと、
前記拡張支援データをメモリに保存することと、
前記第２の地理的エリアにいる間に、前記第２の地理的エリア中で適用可能な前記支援データを使用してロケーション情報を取得することと、
前記モバイルデバイスの前記ロケーション推定値を判断するために前記ロケーション情報を与えることと
を行うためのプログラムコードを含む、コンピュータ可読記憶媒体。
【請求項２７】
ネットワークによって、第１の地理的エリア中のモバイルデバイスのための拡張支援データを準備する方法であって、
第２の地理的エリアをそれによって定義する、識別すべき基地局を判断することと、
前記拡張支援データを準備することと、ここで、前記拡張支援データは、前記第２の地理的エリア中では適用可能であり、前記第１の地理的エリア中では知られている適用不可能である支援データを備える、
前記モバイルデバイスが第１の地理的エリアにいる間に前記拡張支援データを前記モバイルデバイスに送ることと
を備える、方法。
【請求項２８】
前記第１の地理的エリア中の前記モバイルデバイスから支援データ要求を受信することをさらに備える、請求項２７に記載の方法。
【請求項２９】
識別すべき前記基地局を判断する前記行為は、前記第１の地理的エリア中の前記モバイルデバイスから前記支援データ要求を受信する前記行為によってトリガされる、請求項２８に記載の方法。
【請求項３０】
識別すべき前記基地局を判断する前記行為は、前記ネットワークによって、前記基地局を判断する前記行為をトリガすることを備える、請求項２７に記載の方法。
【請求項３１】
トリガする前記行為は、少なくとも１つのネットワークパラメータに基づく、請求項３０に記載の方法。
【請求項３２】
前記少なくとも１つのネットワークパラメータが、
（ａ）前記モバイルデバイスから受信されたパラメータ、
（ｂ）過去の期間中に行われたいくつかの位置トランザクション、
（ｃ）前記ネットワークによって作成された一連の以前のロケーション推定値、
（ｄ）ネットワーク構成の一部として与えられた展開情報、
（ｅ）前記モバイルデバイスのプロファイル
のうちの少なくとも１つに基づく、請求項３１に記載の方法。
【請求項３３】
第１の地理的エリア中のモバイルデバイスのための拡張支援データを準備するためのネットワークエンティティであって、
第２の地理的エリアをそれによって定義する、識別すべき基地局を判断するための手段と、
前記拡張支援データを準備するための手段と、ここで、前記拡張支援データは、前記第２の地理的エリア中では適用可能であり、前記第１の地理的エリア中では知られている適用不可能である支援データを備える、
前記モバイルデバイスが第１の地理的エリアにいる間に、前記拡張支援データを前記モバイルデバイスに送るための手段と
を備える、ネットワークエンティティ。
【請求項３４】
第１の地理的エリア中のモバイルデバイスのための拡張支援データを準備するためのネットワークエンティティであって、前記ネットワークエンティティがプロセッサとメモリとを備え、前記メモリが、
第２の地理的エリアをそれによって定義する、第１の地理的エリア中の前記モバイルデバイスのための、識別すべき基地局を判断することと、
前記拡張支援データを準備することと、ここで、前記拡張支援データは、前記第２の地理的エリア中では適用可能であり、前記第１の地理的エリア中では知られている適用不可能である支援データを備える、
前記モバイルデバイスが第１の地理的エリアにいる間に、前記拡張支援データを前記モバイルデバイスに送ることと
を行うためのコードを備える、ネットワークエンティティ。
【請求項３５】
モバイルデバイスのロケーション推定値を判断するためのネットワークエンティティのためのそこに記憶されたプログラムコードを備えるコンピュータ可読記憶媒体であって、前記プログラムコードが、
第２の地理的エリアをそれによって定義する、第１の地理的エリア中の前記モバイルデバイスのための、識別すべき基地局を判断することと、
前記拡張支援データを準備することと、ここで、前記拡張支援データは、前記第２の地理的エリア中では適用可能であり、前記第１の地理的エリア中では知られている適用不可能である支援データを備える、
前記モバイルデバイスが第１の地理的エリアにいる間に、前記拡張支援データを前記モバイルデバイスに送ることと
を行うためのプログラムコードを含む、コンピュータ可読記憶媒体。
【発明の詳細な説明】
【技術分野】
【０００１】
関連出願の相互参照
本出願は、参照により本明細書に明確に組み込まれる、２００９年８月１２日に出願された「ENHANCED POSITIONING ASSISTANCE DATA FOR WIRELESS DEVICE POSITIONING」と題する米国仮特許出願第６１／２３３，４１５号の利益および優先権を主張する。
【０００２】
本開示は、一般に、位置を推定するための装置および方法に関する。より詳細には、本開示は、現在の地理的エリア（または第１の地理的エリア）と将来の地理的エリア（または第２の地理的エリア）とにおいて測定を行う際に使用される拡張された支援データ（extended assistance data）に関する。
【背景技術】
【０００３】
今日、モバイルデバイスは、それが基地局および／または地球測位衛星から受信した信号に基づいて、ロケーション推定値を判断し得る。どの信号をシークすべきかを判断する際にモバイルデバイスを支援するために、ネットワークは、支援情報を含んでいる支援データメッセージをモバイルデバイスに与え得る。この支援情報は特定のエリアに局所化され得る。モバイルデバイスは、その特定のエリアにいるときに、与えられた支援データを使用し得る。モバイルデバイスが第１の地理的エリアから新しい地理的エリアに移動するとき、モバイルデバイスは新しい地理的エリアのための新しい支援データを要求し、受信し得る。前に受信した支援データが新しい地理的エリアにおいて適用不可能であるかまたは使用不可能であるために、モバイルデバイスが新しい支援データを必要とするたびに、モバイルデバイスはネットワークとメッセージを交換する。追加のメッセージのこの交換は、ワイヤレス通信システムにおいてメッセージトラフィックを増加させ、他のトラフィックのためにあまり帯域幅を残さず、新しい地理的エリアにいるときに初期位置算出の開始を遅延させ、モバイルデバイスとネットワークとの間で追加のメッセージを送信および受信することによるさらなる電力消費をもたらし、これらはそれぞれモバイルデバイス上のバッテリー消費の一因となる。したがって、メッセージトラフィックを低減し、初期位置算出時間を増加させ、バッテリー電力消費量を減少させるため方法および装置が望まれる。
【発明の概要】
【０００４】
モバイルデバイスのロケーション推定値を判断するための装置および方法が開示され、本方法は、第１の地理的エリアにおいて支援データを受信することであって、支援データは、第２の地理的エリアからはアクセス可能であるが、第１の地理的エリアからはアクセス不可能である支援データを備える、受信することと、支援データを保存することと、第１の地理的エリアから第２の地理的エリアに移動することと、第２の地理的エリアにおいて支援データを使用してロケーション情報を取得することとを備える。
【０００５】
いくつかの実施形態は、モバイルデバイスのロケーション推定値を判断するための方法を提供し、本方法は、第１の地理的エリアにいる間に、拡張支援データを受信することであって、拡張支援データが、第２の地理的エリア中では適用可能であり、第１の地理的エリア中では適用不可能である支援データを備える、受信することと、拡張支援データをメモリに保存することと、第１の地理的エリアから第２の地理的エリアに移動することと、第２の地理的エリアにいる間に、第２の地理的エリア中で適用可能な支援データを使用してロケーション情報を取得することと、モバイルデバイスのロケーション推定値を判断するためにロケーション情報を与えることとを備える。
【０００６】
いくつかの実施形態は、モバイルデバイスのロケーション推定値を判断するためのモバイルデバイスを提供し、モバイルデバイスは、基地局受信機と、基地局送信機と、プロセッサと、メモリとを備え、メモリは、第１の地理的エリアにいる間に、拡張支援データを受信することであって、拡張支援データが、第２の地理的エリア中では適用可能であり、第１の地理的エリア中では適用不可能である支援データを備える、受信することと、拡張支援データをメモリに保存することと、第２の地理的エリアにいる間に、第２の地理的エリア中で適用可能な支援データを使用してロケーション情報を取得することと、モバイルデバイスのロケーション推定値を判断するためにロケーション情報を与えることとを行うためのコードを備える。
【０００７】
いくつかの実施形態は、モバイルデバイスのロケーション推定値を判断するためのモバイルデバイスを提供し、モバイルデバイスは、第１の地理的エリアにいる間に、拡張支援データを受信するための手段であって、拡張支援データが、第２の地理的エリア中では適用可能であり、第１の地理的エリア中では適用不可能である支援データを備える、受信するための手段と、拡張支援データをメモリに保存するための手段と、第２の地理的エリアにいる間に、第２の地理的エリア中で適用可能な支援データを使用してロケーション情報を取得するための手段と、モバイルデバイスのロケーション推定値を判断するためにロケーション情報を与えるための手段とを備える。
【０００８】
いくつかの実施形態は、モバイルデバイスのロケーション推定値を判断するためのモバイルデバイスを提供し、モバイルデバイスは、プロセッサと、メモリとを備え、メモリは、第１の地理的エリアにいる間に、拡張支援データを受信することであって、拡張支援データが、第２の地理的エリア中では適用可能であり、第１の地理的エリア中では適用不可能である支援データを備える、受信することと、拡張支援データをメモリに保存することと、第２の地理的エリアにいる間に、第２の地理的エリア中で適用可能な支援データを使用してロケーション情報を取得することと、モバイルデバイスのロケーション推定値を判断するためにロケーション情報を与えることとを行うための命令を含む。
【０００９】
いくつかの実施形態は、モバイルデバイスのロケーション推定値を判断するためのモバイルデバイスのためのそこに記憶されたプログラムコードを備えるコンピュータ可読記憶媒体を提供し、プログラムコードは、第１の地理的エリアにいる間に、拡張支援データを受信することであって、拡張支援データが、第２の地理的エリア中では適用可能であり、第１の地理的エリア中では適用不可能である支援データを備える、受信することと、拡張支援データをメモリに保存することと、第２の地理的エリアにいる間に、第２の地理的エリア中で適用可能な支援データを使用してロケーション情報を取得することと、モバイルデバイスのロケーション推定値を判断するためにロケーション情報を与えることとを行うためのプログラムコードを含む。
【００１０】
いくつかの実施形態は、ネットワークによって、第１の地理的エリア中のモバイルデバイスのための拡張支援データを準備する方法を提供し、本方法は、第２の地理的エリアをそれによって定義する、識別すべき基地局を判断することと、拡張支援データを準備することであって、拡張支援データが、第２の地理的エリア中では適用可能であり、第１の地理的エリア中では知られている適用不可能である支援データを備える、準備することと、モバイルデバイスが第１の地理的エリアにいる間に、拡張支援データをモバイルデバイスに送ることとを備える。
【００１１】
いくつかの実施形態は、第１の地理的エリア中のモバイルデバイスのための拡張支援データを準備するためのネットワークエンティティを提供し、ネットワークエンティティは、第２の地理的エリアをそれによって定義する、識別すべき基地局を判断するための手段と、拡張支援データを準備するための手段であって、拡張支援データが、第２の地理的エリア中では適用可能であり、第１の地理的エリア中では知られている適用不可能である支援データを備える、準備するための手段と、モバイルデバイスが第１の地理的エリアにいる間に拡張支援データをモバイルデバイスに送るための手段とを備える。
【００１２】
いくつかの実施形態は、第１の地理的エリア中のモバイルデバイスのための拡張支援データを準備するためのネットワークエンティティを提供し、ネットワークエンティティが、プロセッサとメモリとを備え、メモリは、第２の地理的エリアをそれによって定義する、第１の地理的エリア中のモバイルデバイスのための、識別すべき基地局を判断することと、拡張支援データを準備することであって、拡張支援データが、第２の地理的エリア中では適用可能であり、第１の地理的エリア中では知られている適用不可能である支援データを備える、準備することと、モバイルデバイスが第１の地理的エリアにいる間に拡張支援データをモバイルデバイスに送ることとを行うためのコードを備える。
【００１３】
いくつかの実施形態は、モバイルデバイスのロケーション推定値を判断するためのネットワークエンティティのためのそこに記憶されたプログラムコードを備えるコンピュータ可読記憶媒体を提供し、プログラムコードは、第２の地理的エリアをそれによって定義する、第１の地理的エリア中のモバイルデバイスのための、識別すべき基地局を判断することと、拡張支援データを準備することであって、拡張支援データが、第２の地理的エリア中では適用可能であり、第１の地理的エリア中では知られている適用不可能である支援データを備える、準備することと、モバイルデバイスが第１の地理的エリアにいる間に拡張支援データをモバイルデバイスに送ることとを行うためのプログラムコードを含む。
【００１４】
様々な態様が例として図示され説明される以下の詳細な説明から、他の態様が当業者には容易に明らかになることを理解されたい。図面および詳細な説明は、本質的に例示的なものと見なされるべきであり、限定的なものと見なされるべきではない。
【図面の簡単な説明】
【００１５】
【図１】通信システムを示す図。
【図２】第１の地理的エリアにおける第１のロケーション推定値を判断し、第２の地理的エリアにおける第２のロケーション推定値を判断するための、モバイルデバイスとネットワークとの間の通信を示す図。
【図３】第１の地理的エリアにおける第１のロケーション推定値を判断し、第２の地理的エリアにおける第２のロケーション推定値を判断するための、モバイルデバイスとネットワークとの間の通信を示す図。
【図４】支援データメッセージ中に含まれている支援データを示す図。
【図５】支援データメッセージ中に含まれている支援データを示す図。
【図６】第１の地理的エリアにおいて支援データを受信し、第１の地理的エリアにおいて受信された支援データに基づいて第２の地理的エリアにおいてロケーション推定値を判断するための、モバイルデバイスとネットワークとの間の通信を示す図。
【図７】拡張支援データを判断する、ネットワーク内でのプロセスを示す図。
【図８】モバイルデバイスを示す図。
【図９】支援データメッセージ中に含まれている拡張支援データを示す図。
【図１０】モバイルデバイスを含んでいる現在の第１の地理的エリアと、現在モバイルデバイスの視野外にあるセルを含んでいる予測される第２の地理的エリアとを示す図。
【図１１】モバイルデバイスを含んでいる現在の第１の地理的エリアと、現在モバイルデバイスの視野外にあるセルを含んでいる予測される第２の地理的エリアとを示す図。
【発明を実施するための形態】
【００１６】
添付の図面とともに以下に示す詳細な説明は、本開示の様々な態様を説明するものであり、本開示が実施され得る唯一の態様を表すものではない。本開示に記載の各態様は、本開示の例または図としてのみ提供されるものであり、必ずしも他の態様よりも好ましいまたは有利であると解釈されるべきではない。詳細な説明は、本開示の完全な理解を与える目的で具体的な詳細を含む。ただし、本開示はこれらの具体的な詳細なしに実施され得ることが当業者には明らかであろう。いくつかの例では、本開示の概念を不明瞭にしないように、よく知られている構造およびデバイスをブロック図の形式で示す。頭字語および他の記述的専門用語は、単に便宜のためにおよび明瞭にするためにのみ使用され得、本発明の範囲を限定するものではない。
【００１７】
本明細書に記載の位置判断技法は、ワイヤレスワイドエリアネットワーク（ＷＷＡＮ）、ワイヤレスローカルエリアネットワーク（ＷＬＡＮ）、ワイヤレスパーソナルエリアネットワーク（ＷＰＡＮ）などの様々なワイヤレス通信ネットワークに関連して実装し得る。「ネットワーク」および「システム」という用語は、しばしば互換的に使用される。ＷＷＡＮは、符号分割多元接続（ＣＤＭＡ）ネットワーク、時間分割多元接続（ＴＤＭＡ）ネットワーク、周波数分割多元接続（ＦＤＭＡ）ネットワーク、直交周波数分割多元接続（ＯＦＤＭＡ）ネットワーク、シングルキャリア周波数分割多元接続（ＳＣ−ＦＤＭＡ）ネットワーク、Ｌｏｎｇ  Ｔｅｒｍ  Ｅｖｏｌｕｔｉｏｎ（ＬＴＥ）ネットワーク、ＷｉＭＡＸ（ＩＥＥＥ８０２．１６）ネットワークなどであり得る。ＣＤＭＡネットワークは、ｃｄｍａ２０００、広帯域ＣＤＭＡ（Ｗ−ＣＤＭＡ）などの１つまたは複数の無線アクセス技術（ＲＡＴ）を実装し得る。Ｃｄｍａ２０００は、ＩＳ−９５標準、ＩＳ−２０００標準、およびＩＳ−８５６標準を含む。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））、Ｄｉｇｉｔａｌ  Ａｄｖａｎｃｅｄ  Ｍｏｂｉｌｅ  Ｐｈｏｎｅ  Ｓｙｓｔｅｍ（Ｄ−ＡＭＰＳ）、または何らかの他のＲＡＴを実装し得る。ＧＳＭおよびＷ−ＣＤＭＡは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。Ｃｄｍａ２０００は、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書に記載されている。３ＧＰＰおよび３ＧＰＰ２の文書は公に入手可能である。ＷＬＡＮは、ＩＥＥＥ８０２．１１ｘネットワークであり得、ＷＰＡＮは、Ｂｌｕｅｔｏｏｔｈ（登録商標）ネットワーク、ＩＥＥＥ８０２．１５ｘネットワーク、または他の何らかのタイプのネットワークであり得る。本技法はまた、ＷＷＡＮ、ＷＬＡＮおよび／またはＷＰＡＮの任意の組合せに関して実装され得る。
【００１８】
衛星測位システム（ＳＰＳ：satellite positioning system）は、一般に、送信機から受信した信号に少なくとも部分的に基づいて地球上または地球上空のエンティティのロケーションをそれらのエンティティが判断できるように配置された送信機のシステムを含む。そのような送信機は、一般に、設定された数のチップの反復する擬似雑音（ＰＮ）コードでマークされた信号を送信し、地上ベースの制御局、ユーザ機器および／または宇宙ビークル上に配置され得る。特定の例では、そのような送信機は地球周回軌道衛星ビークル（ＳＶ：satellite vehicle）上に配置され得る。たとえば、Ｇｌｏｂａｌ  Ｐｏｓｉｔｉｏｎｉｎｇ  Ｓｙｓｔｅｍ（ＧＰＳ）、Ｇａｌｉｌｅｏ、ＧＬＯＮＡＳＳ、またはＣｏｍｐａｓｓなどの全地球航法衛星システム（ＧＮＳＳ：Global Navigation Satellite System）のコンスタレーション中のＳＶは、（たとえば、ＧＰＳの場合のように各衛星について異なるＰＮコードを使用して、またはＧＬＯＮＡＳＳの場合のように異なる周波数上の同じコードを使用して）コンスタレーション中の他のＳＶによって送信されたＰＮコードとは区別可能なＰＮコードでマーキングされた信号を送信し得る。いくつかの態様によれば、本明細書で提示する技法は、ＳＰＳのためのグローバルシステム（たとえば、ＧＮＳＳ）に制限されない。たとえば、本願明細書で提供する技法は、たとえば、日本のＱｕａｓｉ−Ｚｅｎｉｔｈ  Ｓａｔｅｌｌｉｔｅ  Ｓｙｓｔｅｍ（ＱＺＳＳ）、インドのＩｎｄｉａｎ  Ｒｅｇｉｏｎａｌ  Ｎａｖｉｇａｔｉｏｎａｌ  Ｓａｔｅｌｌｉｔｅ  Ｓｙｓｔｅｍ（ＩＲＮＳＳ）、中国のＢｅｉｄｏｕなどの様々な領域システム、ならびに／あるいは１つまたは複数のグローバルおよび／または領域ナビゲーション衛星システムに関連付けること、または場合によってはそれらのシステムとともに使用することが可能である様々なオーグメンテーションシステム（たとえば、Ｓａｔｅｌｌｉｔｅ  Ｂａｓｅｄ  Ａｕｇｍｅｎｔａｔｉｏｎ  Ｓｙｓｔｅｍ（ＳＢＡＳ））に適用され得、または場合によってはそれらのシステムにおいて使用することが可能である。限定ではなく例として、ＳＢＡＳは、たとえば、Ｗｉｄｅ  Ａｒｅａ  Ａｕｇｍｅｎｔａｔｉｏｎ  Ｓｙｓｔｅｍ（ＷＡＡＳ）、Ｅｕｒｏｐｅａｎ  Ｇｅｏｓｔａｔｉｏｎａｒｙ  Ｎａｖｉｇａｔｉｏｎ  Ｏｖｅｒｌａｙ  Ｓｅｒｖｉｃｅ（ＥＧＮＯＳ）、Ｍｕｌｔｉ−ｆｕｎｃｔｉｏｎａｌ  Ｓａｔｅｌｌｉｔｅ  Ａｕｇｍｅｎｔａｔｉｏｎ  Ｓｙｓｔｅｍ（ＭＳＡＳ）、ＧＰＳ  Ａｉｄｅｄ  Ｇｅｏ  Ａｕｇｍｅｎｔｅｄ  ＮａｖｉｇａｔｉｏｎまたはＧＰＳおよびＧｅｏ  Ａｕｇｍｅｎｔｅｄ  Ｎａｖｉｇａｔｉｏｎシステム（ＧＡＧＡＮ）など、完全性情報、差分補正などを行う（１つまたは複数の）オーグメンテーションシステムを含み得る。したがって、本明細書で使用するＳＰＳは、１つまたは複数の全地球ナビゲーション衛星システムおよび／または領域ナビゲーション衛星システムおよび／またはオーグメンテーションシステムの任意の組合せを含み得、ＳＰＳ信号は、ＳＰＳ信号、ＳＰＳ様信号、および／またはそのような１つまたは複数のＳＰＳに関連する他の信号を含み得る。
【００１９】
移動局（ＭＳ）またはユーザ機器（ＵＥ）と呼ばれることがある、本明細書で使用するモバイルデバイスは、セルラー電話、モバイルフォンまたは他のワイヤレス通信デバイス、パーソナル通信システム（ＰＣＳ）デバイス、パーソナルナビゲーションデバイス（ＰＮＤ）、個人情報マネージャ（ＰＩＭ）、携帯情報端末（ＰＤＡ）、ラップトップあるいはワイヤレス通信および／またはナビゲーション信号を受信することが可能な他の好適なモバイルデバイスなどのデバイスを含む。また、「モバイルデバイス」という用語は、衛星信号受信、支援データ受信、および／または位置に関係する処理が当該デバイスで発生するかパーソナルナビゲーションデバイス（ＰＮＤ）で発生するかにかかわらず、短距離ワイヤレス、赤外線、ワイヤライン接続、または他の接続などによってＰＮＤと通信するデバイスを含むものとする。また、「モバイルデバイス」は、インターネット、Ｗｉ−Ｆｉ（登録商標）、または他のネットワークなどを介してサーバとの通信が可能であり、衛星信号受信、支援データ受信、および／または位置に関係する処理が当該デバイスで発生するか、サーバで発生するか、またはネットワークに関連する別のデバイスで発生するかにかかわらず、ワイヤレス通信デバイス、コンピュータ、ラップトップなどを含むすべてのデバイスを含むものとする。上記の任意の動作可能な組合せも「モバイルデバイス」と見なされる。
【００２０】
本発明の態様によれば、個々の支援データトランザクションが即時の地理的エリア以外の地理的エリアに適用可能なデータを含む場合、支援データトランザクションの数を低減し、それによって電力消費量を低下し得る。すなわち、拡張支援データメッセージは、より広い地理的エリアに有効なデータを含み、このより広い地理的エリアは、元の、即時のまたは現在の地理的エリア（以下で第１の地理的エリア４２０と呼ぶ）と、予測される、将来の、新しい、異なるまたは次の地理的エリア（以下で第２の地理的エリア４３０と呼ぶ）との両方を含む。モバイルデバイスが第１の地理的エリア４２０の外に移動した後、将来のトランザクションは不要になる。たとえば、ネットワークは、モバイルデバイスの現在の位置または第１の地理的エリア４２０を越える領域中で有効である拡張支援データをモバイルデバイスに送り得る。この第１の地理的エリア４２０は、いくつかの方法で定義され得る。たとえば、第１の地理的エリア４２０はサービング基地局のカバレージエリアを指すことがある。代替的に、第１の地理的エリア４２０は、それの信号がモバイルデバイスによって受信され、測定され得るすべての基地局を含んでいる地理的エリアを指すことがある。いくつかの実施形態では、第１の地理的エリア４２０は第２の地理的エリア４３０よりも小さいが、第１の地理的エリア４２０と第２の地理的エリア４３０との両方は、モバイルデバイスの受信機によって信号が受信され測定され得る、または復号され得る距離によって制限され得る。いくつかの実施形態では、第１の地理的エリア４２０および第２の地理的エリア４３０は数平方マイル（または数平方キロメートル）に限定され得る（たとえば、第１の地理的エリア４２０および第２の地理的エリア４３０はそれぞれ１０平方マイルに限定され得る）。以下で使用するセルは、単一のサービング基地局のカバレージエリアを指すことがある。また、以下で使用するセルラー基地局またはアクセスポイントなどの基地局はセルと呼ばれることがある。
【００２１】
図１に通信システムを示す。通信システムはモバイルデバイス１０およびネットワーク１５を示している。ネットワーク１５は、第１の地理的エリア４２０中の基地局４１０と、第２の地理的エリア４３０中の基地局４１０とを含む。通信システムは、１つまたは複数のＧＰＳまたはＧＮＳＳ  ＳＶ４５０をも含み得る。モバイルデバイス１０は、１つまたは複数のＧＰＳまたはＧＮＳＳ  ＳＶ４５０から信号を受信し得る。
【００２２】
第１の地理的エリア４２０は、モバイルデバイス１０を包含し、モバイルデバイス１０が信号を受信することができる（または受信することができるべきである）１つまたは複数の基地局４１０を含む。モバイルデバイス１０は、拡張支援データ２００を受信するために第１の地理的エリア４２０中の少なくとも１つの基地局４１０と通信し得、モバイルデバイス１０のロケーション推定値を計算するために使用され得る信号を受信するために、第１の地理的エリア４２０中の１つまたは複数の基地局４１０と通信し得る。以下で説明するように、拡張支援データ２００は、ネットワーク１５から送られ得、モバイルデバイス１０によって受信され得る。拡張支援データ２００は、第１のサブセット１００（図５）（第１の地理的エリア４２０中の基地局４１０のリスト）を含み得、第２のサブセット１１０（図５）（第２の地理的エリア４３０中の基地局４１０のリスト）を含む。モバイルデバイス１０は、少なくとも、それの現在の位置が第１の地理的エリア４２０中にある間は、第２の地理的エリア４３０中の基地局４１０と通信することができない（またはその可能性がある）。要するに、モバイルデバイス１０が第１の地理的エリア４２０中にいる間に、モバイルデバイス１０は、ネットワーク１５から拡張支援データ２００を受信し、拡張支援データ２００は、第２の地理的エリア４３０中で適用可能であり、第１の地理的エリア４２０中で適用不可能である支援データの第２のサブセット１１０を含む。支援データの第２のサブセット１１０は、第１の地理的エリア４２０中で適用不可能であることが知られ得る（言い換えると、その可能性がある）。
【００２３】
ネットワーク１５はまた、両方ともバックボーンネットワーク４８０および／または他のネットワークエンティティを通して通信する、１つまたは複数のロケーションサーバ４６０と、１つまたは複数の基地局アルマナックサーバ４７０とを含み得る。いくつかの実施形態では、基地局アルマナックサーバ４７０はロケーションサーバ４６０に統合され得る。ロケーションサーバ４６０は、（ａ）オープンモバイルアライアンス（ＯＭＡ）によって定義されたロケーションソリューションである、セキュアユーザプレーンロケーション（ＳＵＰＬ）、（ｂ）ロケーションサーバのタイプである、ＳＵＰＬロケーションプラットフォーム（ＳＬＰ）、（ｃ）ＧＳＭまたはＵＭＴＳを用いた位置特定のために使用される、３ＧＰＰによって定義されたエンティティである、サービングモバイルロケーションセンター（ＳＭＬＣ）、（ｄ）ＬＴＥを用いた位置特定のために使用される、Ｅｖｏｌｖｅｄ  ＳＭＬＣ（Ｅ−ＳＭＬＣ）、（ｅ）ｃｄｍａ２０００ネットワークによる位置特定のために使用される、位置決定エンティティ（ＰＤＥ：Position Determining Entity）など、いくつかの知られている業界標準またはプロトコルのうちの１つに準拠し得る。ロケーションサーバ４６０は、以下でネットワーク１５に起因するとされる機能の多数またはすべてを実行し得る。
【００２４】
図２および図３に、第１の地理的エリア４２０における第１のロケーション推定値を判断し、第２の地理的エリア４３０における第２のロケーション推定値を判断するための、モバイルデバイス１０とネットワーク１５との間の通信を示す。
【００２５】
図２の２０において、モバイルデバイス１０は、第１の地理的エリア４２０内におけるそれのロケーション推定値を判断するために、または判断するのを助けるために、モバイルデバイス１０内でプロセスを開始する。このプロセスは、モバイルデバイス１０のユーザからのアクション、モバイルデバイス１０内のアクション（たとえば、タイマー満了またはモバイルデバイス１０内でのアプリケーションからの要求）、またはモバイルデバイス１０の外部のアクション（たとえば、ネットワーク１５からのモバイルデバイス１０の推定位置についての要求）に応答して開始され得る。モバイルデバイス１０は、それのロケーション推定値を判断するために信号を処理するか、またはそのために必要な計算を実行し得る。代替的に、モバイルデバイス１０は、ネットワーク１５がモバイルデバイス１０のロケーション推定値を判断するのを支援し得る。
【００２６】
支援データ要求２５は、モバイルデバイス１０によって送られ、ネットワーク１５によって受信される。いくつかの実施形態では、支援データ要求２５は別のモバイルツーネットワークメッセージの一部である。他の実施形態では、モバイルデバイス１０は、すでに必要な支援データを有しているので支援データ要求２５を送らない。たとえば、ネットワーク１５は、前のポイントツーポイントメッセージ中で、またはブロードキャストメッセージ中で、要求された支援データをモバイルデバイス１０に事前に供給し得る。
【００２７】
支援データ要求３０は、ネットワーク１５によって送られ、モバイルデバイス１０によって受信される。支援データ応答３０は、第１の地理的エリア４２０のための要求された支援データを含んでいる。第１の地理的エリア４２０は、モバイルデバイス１０が通信している基地局４１０のネットワーク１５内の位置に基づき得る。３５において、モバイルデバイス１０は、第１の地理的エリア４２０のための支援データを使用して、識別された近くの基地局４１０から信号を受信する。
【００２８】
上記で説明したように、モバイルデバイス１０またはネットワーク１５はモバイルデバイス１０のロケーション推定値を判断し得る。４５Ａにおいて、モバイルデバイス１０がそれのロケーション推定値を判断する場合、モバイルデバイス１０は受信信号を処理する。代替的に、モバイルデバイス１０は、受信信号を含んでいるメッセージ４０Ｂを送ることによってネットワーク１５を支援する。４５Ｂにおいて、ネットワーク１５は、次いで、受信信号を処理して、モバイルデバイス１０のロケーション推定値を判断する。
【００２９】
プロセスは図３に続く。６０において、この例では、モバイルデバイス１０は第１の地理的エリア４２０から（新しい）第２の地理的エリア４３０に移動する。モバイルデバイス１０が、ステップ３５またはステップ４５Ａにおいて処理が完了する前に第１の地理的エリア４２０から第２の地理的エリア４３０に移動した場合、上記で説明した支援データメッセージ３０が第１の地理的エリア４２０のために必要な支援データを含んでいるが、第２の地理的エリア４３０のために必要な支援データを含んでいないので、支援データは使用可能でなくなる。したがって、モバイルデバイス１０は、新しい第２の地理的エリア４３０中にいる間、（ステップ３０において受信した）支援データを使用することができなくなる。この場合、モバイルデバイス１０は、メッセージ７０および７５のステップに関して以下で説明するように、支援データを要求するステップ（ステップ２５）と、支援データを受信するステップ（ステップ３０）とを繰り返す必要がある。
【００３０】
６５において、モバイルデバイス１０は、第２の地理的エリア４３０内におけるそれのロケーション推定値を判断するために、または判断するのを助けるために、上記で説明したプロセスを再び開始する。支援データ要求７０は、モバイルデバイス１０によって送られ、ネットワーク１５によって受信される。支援データ要求７５は、ネットワーク１５によって送られ、モバイルデバイス１０によって受信される。支援データ応答７５は、今度は第２の地理的エリア４３０のための支援データを含んでいる。第２の地理的エリア４３０は、新しい基地局４１０のネットワーク１５内の新しい位置に基づき得る（たとえば、第２の地理的エリア４３０は、新しい基地局４１０のカバレージエリアによって、新しい基地局４１０のカバレージエリアとその直接のネイバー（its immediate neighbors）とによって、または、新しい基地局４１０のカバレージエリアと、その直接のネイバーと、その直接のネイバーのネイバーとによって定義され得る）。
【００３１】
８０において、モバイルデバイス１０は、第２の地理的エリア４３０のための支援データを使用して、識別された近くの基地局４１０から信号を受信する。第２の地理的エリア４３０のこれらの基地局４１０は、ステップ３５において上記で説明した、第１の地理的エリア４２０から受信した信号の基地局４１０とは異なり得る。
【００３２】
ステップ８０においてモバイルデバイス１０が信号を受信すると、受信信号は、モバイルデバイス１０のロケーション推定値を判断するために使用され得る。モバイルデバイス１０がロケーション推定値を判断する（番号４５Ａ参照）、または、代替的にネットワーク１５がロケーション推定値を判断する（番号４０Ｂおよび４５Ｂ参照）上記で説明した手順が、ステップ８０からの受信信号を用いて再び実行され得る。すなわち、ステップ８０に続く４５Ａにおいて、モバイルデバイス１０は、受信信号を処理することによってそれのロケーション推定値を判断する。代替的におよび同じくステップ８０に続き、モバイルデバイス１０は、受信信号を含んでいるメッセージ４０Ｂを送ることによってネットワーク１５を支援し得、４５Ｂにおいて、ネットワーク１５は、受信信号を処理して、モバイルデバイス１０のロケーション推定値を判断する。
【００３３】
図４に、支援データメッセージ３５中に含まれている支援データ１００Ａを示す。支援データ１００Ａは、（現在の）第１の地理的エリア４２０には関係するが、（新しい）第２の地理的エリア４３０には関係しない。支援データ１００Ａは、第１の地理的エリア４２０中にあるときのモバイルデバイス１０によって潜在的に受信可能な信号を送信する送信機に関する情報を含み得る。送信機は、（たとえば、ＧＰＳ衛星中の）衛星送信機および／または地上波送信機（たとえば、セルラー基地局、アクセスポイント、フェムトセルなどであり得る基地局４１０など）であり得る。地上波送信機は、セル全体または基地局４１０のカバレージエリアのための信号を送信する単一の送信機であり得る。地上波送信機は、セクタ化された基地局の単一のセクタを送信する送信機であり得る。地上波送信機は、それぞれが基地局４１０の対応するセクタ中で信号を送信する、２つ、３つ、またはそれ以上のコロケート送信機（co-located transmitters）のグループであり得る。
【００３４】
支援データ１００Ａは、モバイルデバイス１０が第１の地理的エリア４２０中にあるときに受信可能である可能性のある信号を送信する送信機に関係する情報を含んでいる。すなわち、送信機は、第１の地理的エリア４２０内にあることまたは第１の地理的エリア４２０内で受信可能な信号を有することに基づいて選択される。衛星送信機の場合、この情報は、第１の地理的エリア４２０中のモバイルデバイス１０の視野にある可能性のある１つまたは複数の衛星のための、衛星のアルマナックおよびエフェメリスデータ（ephemeris data）を含み得る。この情報はまた、（ｉ）各ＳＶの予想されるドップラー周波数シフトおよび各ＳＶの予想されるコード位相シフトなど、モバイルデバイス１０が衛星信号を取得し、測定するのを助け得る情報、（ｉｉ）信号がモバイルデバイス１０によって受信され得る１つまたは複数の基地局４１０の送信タイミングに関する、ＧＰＳまたはＧＮＳＳタイミング情報、（ｉｉｉ）電離層遅延および対流圏遅延など、正しい衛星測定を助けるための情報のうちの１つまたは複数を含み得る。この衛星関連情報の一部（たとえば、近くの基地局４１０および予想されるコード位相シフトに関係するＧＰＳまたはＧＮＳＳタイミング情報）は、モバイルデバイス１０の（現在の）第１の地理的エリア４２０に固有であり、（異なる）第２の地理的エリア４３０中では有効でないことがあり得る。地上波送信機の場合、支援データ１００Ａは、第１の地理的エリア４２０中でモバイルデバイス１０によって受信可能である可能性がある信号を送信する１つまたは複数の基地局４１０に関する、基地局アルマナックからの情報を含み得る。たとえば、支援データ１００Ａは、たとえば、支援データ１００Ａを送信する基地局４１０だけのロケーションなど、地上波支援データだけを含み得る。代替的に、支援データ１００Ａは、第１の地理的エリア４２０から受信可能である可能性のある信号とともに、いくつかの基地局４１０のための地上波支援データ情報を含み得る。たとえば、各基地局４１０について、支援データ１００Ａは、基地局識別子（たとえば、ＭＡＣアドレス、セルタワー識別子および／またはグローバルネットワークアドレス）と、基地局４１０のロケーション（たとえば、緯度および経度）とを含み得る。さらに、支援データ１００Ａは、高度、カバレージエリア、送信電力、アンテナ利得、ワイヤレスネットワーク識別子、ネイバーの識別情報、各ネイバー送信タイミングに関係する送信タイミング、および／または基地局４１０の他の特徴または機能のフィールドのうちの１つまたは複数を含み得る。
【００３５】
支援データ１００Ａは、ＧＰＳまたはＧＮＳＳ衛星の測定を可能にするためにモバイルデバイス１０によって使用され得、モバイルデバイス１０のロケーションを判断するために測定値を定義し、その測定値がどのように取得され使用され得るかを定義する１つまたは複数の測位方法をサポートする、ネットワーク１５中の基地局４１０によって使用され得る。３ＧＰＰおよび３ＧＰＰ２によって定義されている１つのそのような測位方法は、Ａｓｓｉｓｔｅｄ  ＧＰＳ（Ａ−ＧＰＳ）として知られており、モバイルデバイス１０のロケーション推定値を判断するために一般に４つ以上のＧＰＳ  ＳＶの擬似距離測定値を使用する。この場合、Ａ−ＧＰＳ支援データは、そのような測定値が取得された後に、ロケーション推定値を取得するために使用され得るＧＰＳ  ＳＶ信号および他の情報をモバイルデバイス１０が取得し、測定するのを支援するための情報を備える。３ＧＰＰおよび３ＧＰＰ２によって定義されている、Ａｓｓｉｓｔｅｄ  ＧＮＳＳ（Ａ−ＧＮＳＳ）として知られている関連する測位方法は、Ａ−ＧＰＳに類似しているが、限定はしないが、ＧＰＳを含む任意のＧＮＳＳからの信号を測定するためにＡ−ＧＰＳ支援データを供給する。観測到達時間差（ＯＴＤＯＡ：Observed Time Difference of Arrival）として知られている、３ＧＰＰによって定義された第３の測位方法は、ＬＴＥネットワーク中の（ｅノードＢとして知られる）基地局４１０によって送信される測位基準信号（ＰＲＳ：Positioning Reference Signal）の測定値を使用する。ＯＴＤＯＡは、地上波測位方法であり、それが使用する支援データ１００Ａは、ＰＲＳ送信特性と、基地局４１０（たとえば、ｅノードＢ）のロケーションと、近隣基地局４１０（たとえば、近隣ｅノードＢ）からのＰＲＳ信号間の絶対送信タイミング差とを含み得る。ＯＴＤＯＡに類似している、多くの等価の地上波測位方法が、他のタイプのネットワークのために存在する。これらの関連する測位方法には、ＣＤＭＡ２００ネットワークのために３ＧＰＰ２によって定義されたアドバンストフォワードリンク三辺測量（ＡＦＬＴ：Advanced Forward Link Trilateration）、ＷＣＤＭＡ（登録商標）ネットワークのために３ＧＰＰによって定義されたＯＴＤＯＡの変形態、およびＧＳＭネットワークのために３ＧＰＰによって定義された強化観測時間差（Ｅ−ＯＴＤ：Enhanced Observed Time Different）が含まれる。ＯＴＤＯＡおよびＯＴＤＯＡと同様の他の測位方法のための支援データ１００Ａは、１つまたは複数の基地局４１０に関係し、基地局アルマナックデータと呼ばれることがある。
【００３６】
図５に、支援データメッセージ３０中に含まれている拡張支援データ２００を示す。支援データ１００Ａを要求し、受信すること（上記のステップ７０および７５）を繰り返すのを回避するために、本発明の実施形態は、拡張支援データ２００を提供する。拡張支援データ２００は、支援データ１００Ａの２つのサブセットを含み得る。ネットワーク１５からモバイルデバイス１０に送られる拡張支援データ２００は、（図示のように）別個の第１および第２のサブセット１００、１１０のように、または第１および第２のサブセット１００、１１０のインターリーブされた和集合のように見え得る。
【００３７】
図４で支援データ１００Ａとして説明した、支援データの第１のサブセット１００は、（現在の）第１の地理的エリア４２０中で有効で、第１の地理的エリア４２０中でモバイルデバイス１０に現在可視である可能性がある信号を有する送信機に関する情報を含む。拡張支援データ２００は、モバイルデバイス１０に現在可視である可能性がないが、モバイルデバイス１０が第２の地理的エリア４３０に移動する場合にモバイルデバイス１０に可視になり得る、（将来の）第２の地理的エリア４３０中で有効な支援データの第２のサブセット１１０を含む。いくつかの状況では、拡張支援データ２００中の支援データの第２のサブセット１１０のすべてが、同時に、同じロケーションにおいて、第２の地理的エリア４３０中のモバイルデバイス１０に可視であり得るわけではない。すなわち、拡張支援データ２００の異なる部分が、第２の地理的エリア４３０内の異なるロケーションにおいて（したがって、異なる時間において）モバイルデバイス１０に可視になり適用可能または使用可能になり得る。
【００３８】
支援データの第１のサブセット１００は、図４を参照しながら説明した情報を含み得る。支援データの第１のサブセット１００とは異なり、支援データの第２のサブセット１１０は、モバイルデバイス１０が、現在閲覧可能であると予想されないが、将来のロケーション（すなわち、第２の地理的エリア４３０）から閲覧することが可能であると予想される送信機に関する情報を含む。いくつかの実施形態では、拡張支援データ２００は、地上波支援データ（第１のサブセット１００および第２のサブセット１１０、または第１のサブセット１００なしの第２のサブセット１１０）のみを含んでいる。他の実施形態では、拡張支援データ２００は、地上波支援データと、さらに衛星支援データとを含んでいる。たとえば、衛星支援データは、（ｉ）特定の基地局４１０（たとえば、第２の地理的エリア４３０中の基地局４１０）に関係する衛星タイミング、および／または（ｉｉ）各衛星の予想されるコード位相シフトに関するデータなど、ロケーション固有であるデータを含み得る。いくつかの実施形態では、拡張支援データ２００は、地上波支援データおよび衛星支援データを含んでおり、地上波支援データと衛星支援データの両方は、第１の地理的エリア４２０にあるか、または第２の地理的エリア４３０にあるかに依存する。
【００３９】
第２のサブセット１１０中に含まれる送信機情報は、いくつかの方法で判断され得る。支援データの第２のサブセット１１０は、第１のサブセット１００中に含まれないネイバーのネイバーを含み得る。支援データの第２のサブセット１１０は、モバイルデバイス１０の移動の速度または予想される経路の方向にある基地局４１０を含み得る。第２のサブセット１１０は、範囲外支援データを要求するモバイルデバイス１０に基づく基地局４１０を含み得る。ネットワーク１５は、モバイルデバイス１０のためのロケーション推定値および／またはサービング基地局４１０の最近のパターンに基づく基地局情報を含み得る。
【００４０】
図６に、第１の地理的エリア４２０において拡張支援データ２００を受信し、第１の地理的エリア４２０において受信された拡張支援データ２００に基づいて第２の地理的エリア４３０においてロケーション推定値を判断するための、モバイルデバイス１０とネットワーク１５との間の通信を示す。２０において、モバイルデバイス１０は、モバイルデバイス１０が第１の地理的エリア４２０内にあるときにそれのロケーション推定値を判断する、または判断するのを助けるために、モバイルデバイス１０内でプロセスを開始する。このプロセスは、上で列挙したアクションに応答して開始され得る。
【００４１】
モバイルデバイス１０は、単に支援データについての要求であり得、または支援データ２００についての明示的要求であり得る、支援データ要求５０５を送る。すなわち、この支援データ要求５０５は、概して、第１の地理的エリア４２０のための支援データ１００、または拡張支援データ２００についての特定の要求であり得る。支援データ要求５０５は、様々な条件のいずれかによってトリガされ得る。たとえば、支援データ要求５０５は、（ａ）現在利用可能な支援データ中に含まれない、基地局４１０からの信号（たとえば、ＬＴＥ  ＰＲＳ信号）をモバイルデバイス１０が検出すること、（ｂ）現在利用可能な支援データ中で、モバイルデバイス１０において受信された信号の低信号強度、（ｃ）ある境界の外側にあるモバイルデバイス１０のためのロケーション推定値を取得すること（たとえば、円または多角形などの幾何学的形状の形態などのこの境界は、支援データの一部としてネットワーク１５によって指定され得る）、（ｄ）支援データが前に受信されたときのモバイルデバイス１０のロケーションからある所定の距離よりも多く離れた、モバイルデバイス１０のためのロケーション推定値を取得すること（たとえば、この所定の距離は、支援データの一部としてネットワーク１５によって指定され得る）、（ｅ）支援データについての所定の周期的要求、（ｆ）推定誤差が（支援データ中で供給される所定の値などの）所定の値を超えた状態でモバイルデバイス１０のためのロケーション推定値を取得すること、（ｇ）以前に受信した支援データが、過去の何らかの所定の時間の前に受信されたもので、したがって、たとえば、基地局送信のタイミングドリフトによりエラーを起こしやすいものであること、または（ｈ）モバイルデバイス１０が、支援データについての前の要求中で供給された情報に変化（たとえば、モバイルデバイス１０の推定目的地または軌道の変化）を検出することによってトリガされ得る。
【００４２】
支援データ要求５０５は、（ａ）支援データの拡張セットを要求するブールインジケータ（Boolean indicator）、（ｂ）モバイルデバイス１０がデータが有効であるべきと望む距離または時間期間、（ｃ）支援データ中に含まれるように要求されたセルの数、（ｄ）モバイルデバイス１０が拡張支援データ２００を記憶し処理する能力をネットワーク１５に通知するためのインジケータ（たとえば、サイズ限界）、および（ｅ）ネットワーク１５が環境により良く適した支援データ（たとえば、屋内にあるモバイルデバイス１０のためのＷｉ−Ｆｉまたはアクセスポイント支援データを含む）を供給することを可能にするためにモバイルデバイス１０が屋内にあるのか、または屋外にあるのか（たとえば、ＧＮＳＳ信号強度に基づく）のインジケータのパラメータのうちの１つまたは複数を含み得る。
【００４３】
支援データ要求５０５は、（ｆ）モバイルデバイス１０が適用可能であるべき支援データを要求する基地局４１０のセルＩＤ、（ｇ）モバイルデバイス１０が最近訪問した基地局４１０のセルＩＤ、（ｈ）モバイルデバイス１０のルート（たとえば、始点および終点、目的地、推定軌道、予想ルート、セルＩＤのシーケンス、緯度／経度点、直線軌道、または通常使用されるルートに沿った軌道）、（ｉ）第２の地理的エリア４３０中の相対または絶対ロケーションのセットについてのモバイルデバイス１０からの指示、（ｊ）（たとえば、タイムスタンプを付けられた位置測定のリストまたはモバイルデバイス１０によって受信された基地局信号のリストを使用した）その速度についてのモバイルデバイス１０からの指示、（ｋ）方向をもたないその速度についてのモバイルデバイス１０からの指示、および（ｌ）速度をもたないその方向についてのモバイルデバイス１０からの指示のパラメータのうちの１つまたは複数などの、モバイルデバイス１０のルーティング情報をも含み得る。
【００４４】
いくつかの実施形態では、これらのパラメータのうちの１つまたは複数は、支援データ要求５０５内でモバイルデバイス１０によってネットワーク１５に送られる。いくつかの実施形態では、これらのパラメータのうちの１つまたは複数（たとえば、モバイルデバイス１０のルート、またはモバイルデバイス１０が拡張支援データ２００を記憶し処理する能力）は、支援データ要求５０５を通信するより前に送られる。いくつかの実施形態では、これらのパラメータのうちの１つまたは複数は、（支援データ要求５０５中でなど）メッセージ中で通信されないが、モバイルデバイス１０のユーザの加入情報またはモバイルデバイス１０の知られている能力など、他の情報またはデータベースからネットワーク１５によって推測または抽出される。
【００４５】
５１０において、ネットワーク１５は、１つまたは複数の基地局４１０のリストを含む拡張支援データ２００の構造を判断する。次いで、ネットワーク１５は、（現在の）第１の地理的エリア４２０に基づく支援データの第１のサブセット１００を場合によっては含み、（予想される）第２の地理的エリア４３０に基づく支援データの第２のサブセット１１０を含む、拡張支援データ２００を含んでいる拡張支援データメッセージ５１５を送り、モバイルデバイス１０はそれを受信する。モバイルデバイス１０は、（上記のステップ３５で説明したように）支援データの第１のサブセット１００を使用して第１の地理的エリア４２０中で信号を受信し始め得る。
【００４６】
５２０において、モバイルデバイス１０は、（第２の地理的エリア４３０からアクセス可能であるが、第１の地理的エリア４２０からアクセス不可能である）支援データの第２のサブセット１１０を保存する。５２２において、この例は、モバイルデバイス１０が第１の地理的エリア４２０から第２の地理的エリア４３０に移動したことを示す。移動の後に新しい支援データを要求した（ステップ７０）図２および図３の例とは異なり、モバイルデバイス１０が、第２の地理的エリア４３０のための支援データの第２のサブセット１１０を保存しており、第２の地理的エリア４３０に後で入る場合、モバイルデバイス１０は、（新しい）第２の地理的エリア４３０のための支援データを再要求する必要がない。５２５において、モバイルデバイス１０は、拡張支援データメッセージ５１５中で前に受信した支援データの第２のサブセット１１０を使用して第２の地理的エリア４３０中で信号を受信する。
【００４７】
この場合も、モバイルデバイス１０またはネットワーク１５は、モバイルデバイス１０のロケーション推定値を判断し得る。４５Ａにおいて、モバイルデバイス１０は、それのロケーションを判断する。代替的に、モバイルデバイス１０は、メッセージに４０Ｂを送ることによってネットワーク１５を支援し、４５Ｂにおいて、ネットワーク１５は、受信信号に基づいてモバイルデバイス１０のロケーション推定値を判断する。
【００４８】
場合によっては、図６に例示した方法は、シグナリングおよびバッテリー消費量を低減し、また、図２および図３に例示した方法を使用してロケーション推定値を判断することが普通なら失敗するはずである第２の地理的エリア４３０中でモバイルデバイス１０のロケーション推定値を判断することを可能にし得る。たとえば、モバイルデバイス１０が第１の地理的エリア４２０から第２の地理的エリア４３０に移動し、第２の地理的エリア４３０にいる間にネットワーク１５からの支援データを要求することができない場合である。第２の地理的エリア４３０中で通信する能力のこの欠如は、（ａ）モバイルデバイス１０が第２の地理的エリア４３０中でネットワーク１５への通信リンクを有しないこと、（ｂ）モバイルデバイス１０が第２の地理的エリア４３０中でネットワーク１５と通信するためのサブスクリプションを有しないこと、または（ｃ）ネットワーク１５が第２の地理的エリア４３０中で支援データの要求および配信をサポートしないことに起因し得る。これらの状況では、図３のステップ７０および７５の実行は不可能である。したがって、（図６のステップ５０５、５１０および５１５に関して上記で説明したように）依然として第１の地理的エリア４２０にいる間に第２の地理的エリア４３０のための拡張支援データ２００を取得することは、図２および図３で説明した方法の制限を回避する。
【００４９】
図７に、拡張支援データ２００を判断する、ネットワーク１５内でのプロセスを示す。いくつかの実施形態では、ロケーションサーバ４６０（図１）などのネットワークエンティティが、拡張支援データ２００中に含めるべき基地局４２０のリストを判断する。このネットワークエンティティは、単独でロケーションサーバ４６０（図１）であるか、またはロケーションサーバ４６０と基地局アルマナックサーバ４７０（図１）の組合せであり得る。
【００５０】
５３０において、ネットワークエンティティは、モバイルデバイス１０が第１の地理的エリア４２０にいる間にモバイルデバイス１０からメッセージ（たとえば、支援データ要求５０５）を受信する。
【００５１】
ステップ５１０は、前記拡張されたセル（the extended cells）を判断するプロセスを記載し、ステップ５４０および５５０を含む。送信機のこのリストは、支援データ要求５０５に基づくか、またはネットワーク１５によって内部で作成され得る。すなわち、このプロセスは、５３０においてメッセージを受信することによってトリガされるか、または代替的に、ネットワーク１５の内部でトリガされ得る。
【００５２】
ネットワーク１５によってトリガされると、ネットワーク１５は、（ａ）モバイルデバイス１０から受信されたまたはそれに推測される指示のうちの１つまたは複数、（ｂ）所定のしきい値を超える、過去の期間中の測位トランザクションの数（たとえば、ネットワーク１５は、拡張支援データ２００の単一の大規模なダウンロードが頻繁でより小規模のダウンロードより望ましくなるのに十分な頻度でモバイルデバイス１０が位置特定機能を実行していると判断する）、（ｃ）ネットワークが、概して、モバイルデバイス１０またはモバイルデバイスのグループがとる可能性がある軌道についてのデータベースを維持することを含む、ネットワーク１５によって作成された以前のロケーション推定値のシーケンス（ネットワーク１５は、モバイルデバイス１０が支援データの寿命内にどのくらい遠くにおよび／またはどのセルに移動する可能性があるのかを推測する）、（ｄ）ネットワーク構成の一部として供給された展開情報（たとえば、ハイウェイ沿いのセルの場合、ネットワーク１５は、モバイルデバイス１０が主に、ハイウェイに直角にではなく、ハイウェイに沿って一方向または反対方向に進行すると仮定し得る）、および（ｅ）モバイルデバイス１０のプロファイル（たとえば、ある時間期間にわたるモバイルデバイスの位置追跡に対する関心）のネットワーク判断型パラメータのうちの１つまたは複数に基づいて拡張支援データ２００を送ることを決定する。したがって、支援データの第２のサブセット１１０は、モバイルデバイス１０からネットワーク１５が受信した支援データ要求５０５中の１つまたは複数のパラメータに基づいておよび／または１つまたは複数のネットワーク判断型パラメータに基づいてコンパイルされ得る。
【００５３】
５４０において、ネットワーク１５は、拡張支援データ２００中でどの送信機を識別するべきかを判断する。基地局４１０のこのリストは、第２のサブセット１１０を形成し、第２の地理的エリア４３０を定義する。
【００５４】
５５０において、ネットワーク１５は、第２の地理的エリア４３０に適用可能であり、第１の地理的エリア４２０中で適用不可能である拡張支援データ２００を準備する。
【００５５】
５６０において、ネットワーク１５は、モバイルデバイス１０がまだ第１の地理的エリア４２０中にいる間に、第２のサブセット１１０を含む拡張支援データ２００（たとえば、拡張支援データメッセージ５１５）をモバイルデバイス１０に送る。モバイルデバイス１０は、第１の地理的エリア４２０から第２の地理的エリア４３０に移動するまで、データの第２のサブセット１１０を使用することができない。
【００５６】
図８に、モバイルデバイス１０を示す。モバイルデバイス１０は、基地局受信機３１０と、基地局送信機３２０と、プロセッサ３３０と、メモリ３４０とを含む。モバイルデバイス１０は、ＧＰＳ受信機３５０などのＳＰＳ受信機をも含み得る。基地局受信機３１０および基地局送信機３２０は、基地局４１０のトランシーバと通信する。基地局受信機３１０は基地局信号を受信し、処理し、基地局信号は、プロセッサ３３０によって処理されるか、またはアシスト型ＧＰＳが採用される場合は、ネットワーク１５によって処理される。ＧＰＳ受信機３５０は、ＧＰＳ衛星から生成されるＧＰＳ信号を処理する。セルラー基地局などのいくつかの基地局４１０は、セルラー基地局通信リンクを介してセルラー基地局信号を供給する。ワイヤレスＬＡＮアクセスポイント（ＡＰ）などの他の基地局４１０は、アクセスポイント通信リンクを介してアクセスポイント基地局信号を与える。基地局受信機３１０および基地局送信機３２０は、１つまたは複数のアンテナを共有するか、あるいは１つまたは複数の別個の共有されないアンテナをそれぞれ有し得る。同様に、ＧＰＳ受信機３５０は、別個のアンテナを有するか、または基地局受信機３１０とアンテナを共有し得る。基地局受信機３１０および基地局送信機３２０は、信号の少なくとも部分的な処理のために別個の異なる構成要素を使用し得、何らかの他の構成要素を共有することも共有しないこともある。基地局受信機３１０および基地局送信機３２０は、複数の基地局通信技術および／またはプロトコルおよび／または異なるワイヤレスネットワークをサポートすることができる。基地局受信機３１０および基地局送信機３２０は、ＲＦ信号処理のための別個および／または共有の回路を有し得る。基地局受信機３１０および基地局送信機３２０は、単一の通信トランシーバに実装されるか、または異なるワイヤレスネットワークのための複数の受信機および送信機として実装され得る。
【００５７】
たとえば、基地局受信機３１０および基地局送信機３２０は、セルラー電話信号を受信および／または送信するためのトランシーバ部分と、Ｗｉ−Ｆｉまたはアクセスポイント信号を受信および／または送信するための別のトランシーバ部分とを含み得る。ＧＰＳ受信機３５０は、ＧＰＳアンテナに結合されたＧＰＳ捕捉および追跡回路を含む。（たとえば、ＧＰＳ衛星からの）ＧＰＳ信号は、アンテナを通して受信され、様々なＧＰＳ衛星のためのＰＮ（擬似ランダム雑音）コードを取得するＧＰＳ受信機３５０に入力される。ＧＰＳ受信機３５０によって生成されたデータ（たとえば、相関インジケータ）は、ＧＰＳ受信機３５０内で、または、プロセッサ３３０によって処理され得る。本発明のいくつかの実施形態では、基地局受信機３１０および基地局送信機３２０は、セルラー基地局および／またはアクセスポイントなどの基地局４１０に通信するための単一のエアインターフェース（たとえば、ＩＥＥＥ８０２．１１、Ｂｌｕｅｔｏｏｔｈ（登録商標）、ＵＷＢ、ＴＤ−ＳＣＤＭＡ、ｉＤＥＮ、ＨＤＲ、ＴＤＭＡ、ＧＳＭ、ＣＤＭＡ、Ｗ−ＣＤＭＡ、ＵＭＴＳまたは他の同様のネットワーク）と使用されることが可能である。他の実施形態では、基地局受信機３１０および基地局送信機３２０は、これらのうちの２つ以上のインターフェースと使用されることが可能である。
【００５８】
プロセッサ３３０と統合され、および／またはそれとは別個であり得るメモリ３４０は、本明細書で説明する方法を実行するためのコードを含み得る。メモリ３４０は、ＲＡＭ、ＲＯＭ、ＥＥＰＲＯＭ、ＣＤ−ＲＯＭ、ＤＶＤ−ＲＯＭまたは他の光ディスクストレージ、磁気ディスクストレージ、別の磁気ストレージデバイスなどを含むコンピュータ可読媒体のうちの１つまたはそれらの組合せであり得る。たとえば、メモリ３４０は、モバイルデバイス１０のプロセッサ３３０が、第２の地理的エリア４３０からはアクセス可能であるが、第１の地理的エリア４２０からはアクセス不可能な（支援データの第２のサブセット１１０として本明細書で説明する）支援データを備える拡張支援データ２００を第１の地理的エリア４２０内で受信し、拡張支援データ２００を保存し、第２の地理的エリア４３０に移動した後に拡張支援データ２００を使用してロケーション情報を取得するためのそこに記憶されたプログラムコードを備えるコンピュータ可読記憶媒体を含み得る。
【００５９】
図９に、支援データメッセージ５１５中に含まれている拡張支援データ２００を示す。拡張支援データ２００は、（現在の）第１の地理的エリア４２０からアクセス可能な支援データの第１のサブセット１００と、（次の）第２の地理的エリア４３０からアクセス可能な支援データの第２のサブセット１１０とを含む。支援データの第２のサブセット１１０は、第２の地理的エリア４３０からはアクセス可能であるが、第１の地理的エリア４２０からはアクセス不可能である。モバイルデバイス１０は、第１の地理的エリア４２０中にいる間、したがって、支援データの第２のサブセット１１０が即時使用不可能である間、支援データの第２のサブセット１１０を受信する。
【００６０】
各サブセットは基地局アルマナックを含み得る。第１の地理的エリア４２０のための基地局アルマナック１０５は、第１の地理的エリア４２０中の基地局４１０のリストを含み得る。第２の地理的エリア４３０のための基地局アルマナック１１５は、第２の地理的エリア４３０中の基地局４１０のリストを含み得る。２つの基地局アルマナックは、相互排他的であるか、または部分的に重複し得る。リストされた各基地局４１０について、基地局アルマナック１０５、１１５は、（ａ）基地局ノードのタイプ（たとえば、ＣＤＭＡ２０００、ノードＢ（ＵＭＴＳ）、ｅノードＢ（ＬＴＥ）またはアクセスポイント（Ｗｉ−Ｆｉ））、（ｂ）ノードＩＤ、（ｃ）ノードの経度、（ｄ）ノードの緯度、（ｅ）（たとえば、１つまたは複数の近隣基地局４１０に関係する）ノードの送信タイミング、（ｆ）ノードの送信電力、（ｆ）基地局送信タイミングに対するＧＰＳまたはＧＮＳＳタイミング関係を含む、１つまたは複数の識別パラメータを含み得る。
【００６１】
拡張支援データ２００はＧＰＳまたはＧＮＳＳ支援データ１２０をも含み得る。各場合において、拡張支援データ２００は支援データの第２のサブセット１１０を含むが、支援データの第１のサブセット１００およびＧＮＳＳ支援データ１２０は拡張支援データ２００の一部であることも一部でないこともある。たとえば、いくつかの実施形態では、拡張支援データ２００は、支援データの第２のサブセット１１０を含むが、支援データの第１のサブセット１００を含まない。他の実施形態では、拡張支援データ２００は、支援データの第１のサブセット１００と支援データの第２のサブセット１１０の両方を含むが、ＧＮＳＳ支援データ１２０を含まない。
【００６２】
図１０および図１１に、モバイルデバイス１０を含んでいる（現在の）第１の地理的エリア４２０と、現在モバイルデバイス１０の視野外にあるセルを含んでいる（予測される）第２の地理的エリア４３０とを示す。
【００６３】
図１０では、モバイルデバイス１０をサービスする基地局４１０がカバレージエリアを与える。この場合、カバレージエリアは第１の地理的エリア４２０を定義する。他の場合には、互いにグループ化される複数の基地局４１０は、第１の地理的エリア４２０を定義するために使用されるカバレージを与える。第２の地理的エリア４３０は、第１の地理的エリア４２０の端で始まり、基地局４１０からの半径まで続く環状型エリアとして示されている。第２の地理的エリア４３０は、第１の地理的エリア４２０内の１つまたは複数の基地局４１０に対して近隣のカバレージエリアによって定義され得る。そのような環状モデルは、モバイルデバイス１０のルートが未知である場合に使用され得る。たとえば、モバイルデバイス１０が固定であるかまたは最近の移動を示していない場合、第２の地理的エリア４３０は、概して、モバイルデバイス１０の特定の方向を予測することなしに定義され得る。
【００６４】
図１１では、モバイル速度が知られているか、推定されるかまたは予測される。上記のように、基地局４１０または基地局４１０のグループは第１の地理的エリア４２０を定義する。第２の地理的エリア４３０は、モバイル速度の経路内の基地局４１０に限定され得る。モバイル速度を使用することによって、第２の地理的エリア４３０は、第１の地理的エリア４２０と比較してサイズが同等になり得る。
【００６５】
モバイルデバイス１０の過去および現在の移動に基づいて第２の地理的エリア４３０を設定するために、他のモデルが使用され得る。代替的に、第２の地理的エリア４３０は、モバイルデバイス１０からネットワーク１５に明示的に通信されるか、あるいはナビゲーションまたはマップ情報についての要求などモバイルデバイス１０から受信した他の情報に基づいてネットワーク１５によって推測される、目的地、ルートまたは方向に基づいて設定され得る。上記で説明したように、第２の地理的エリア４３０は、拡張支援データ２００中でネットワーク１５からモバイルデバイス１０に通信される支援データの第２のサブセット１１０の基地局アルマナック内にリストされる基地局４１０のリストを設定するために使用される。
【００６６】
本明細書で説明した方法は、適用例に応じて様々な手段によって実装され得る。たとえば、これらの方法は、ハードウェア、ファームウェア、ソフトウェア、またはそれらの任意の組合せで実装され得る。ハードウェア実装の場合、プロセッサ／処理ユニットは、１つまたは複数の特定用途向け集積回路（ＡＳＩＣ：application specific integrated circuit）、デジタル信号プロセッサ（ＤＳＰ：digital signal processor）、デジタル信号処理デバイス（ＤＳＰＤ：digital signal processing device）、プログラマブル論理デバイス（ＰＬＤ：programmable logic device）、フィールドプログラマブルゲートアレイ（ＦＰＧＡ：field programmable gate array）、プロセッサ、コントローラ、マイクロコントローラ、マイクロプロセッサ、電子デバイス、本明細書で説明する機能を実行するように設計された他の電子ユニット、またはそれらの組合せの中で実装され得る。
【００６７】
ファームウェアおよび／またはソフトウェアに関与する実装形態の場合、本方法は、本明細書で説明する機能を実行するモジュール（たとえば、プロシージャ、機能など）を用いて実装され得る。命令を有形に実施するいかなる機械可読媒体も、本明細書で説明した方法を実装する際に使用され得る。たとえば、ソフトウェアコードは、メモリに記憶され、プロセッサユニットによって実行され得る。メモリは、プロセッサユニットの内部および／またはプロセッサユニットの外部に実装され得る。本明細書で使用する「メモリ」という用語は、長期メモリ、短期メモリ、揮発性メモリ、不揮発性メモリ、または他のメモリのいずれかのタイプを指し、メモリの特定のタイプまたはメモリの数、あるいはメモリが記憶される媒体のタイプに限定されない。
【００６８】
ファームウェアおよび／またはソフトウェアに関与する実装形態の場合、機能は、１つまたは複数の命令またはコードとしてコンピュータ可読媒体上に記憶され得る。例としては、データ構造で符号化されたコンピュータ可読媒体、およびコンピュータプログラムで符号化されたコンピュータ可読媒体がある。コンピュータ可読媒体は製造品の形態をとり得る。コンピュータ可読媒体は物理的コンピュータ記憶媒体を含む。記憶媒体は、コンピュータによってアクセスされ得る任意の利用可能な媒体であり得る。限定ではなく、例として、そのようなコンピュータ可読媒体は、ＲＡＭ、ＲＯＭ、ＥＥＰＲＯＭ、ＣＤ−ＲＯＭまたは他の光ディスク（disk）ストレージ、磁気ディスク（disk）ストレージ、または他の磁気ストレージデバイス、あるいは命令またはデータ構造の形態で所望のプログラムコードを記憶するために使用され得、コンピュータによってアクセスされ得る任意の他の媒体を備えることができ、本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【００６９】
コンピュータ可読媒体上での記憶に加えて、命令および／またはデータは、通信装置中に含まれる伝送媒体上の信号として与えられ得る。たとえば、通信装置は、命令とデータとを示す信号を有するトランシーバを含み得る。命令およびデータは、１つまたは複数のプロセッサに、特許請求の範囲で概説する機能を実装させるように構成される。すなわち、通信装置は、開示する機能を実行するための情報を示す信号をもつ伝送媒体を含む。初めに、通信装置中に含まれる伝送媒体は、開示する機能を実行するための情報の第１の部分を含み得、次に、通信装置中に含まれる伝送媒体は、開示する機能を実行するための情報の第２の部分を含み得る。
【００７０】
開示された態様の前述の説明は、当業者が本開示を実施または使用できるようにするために提供されるものである。これらの態様への様々な変更は当業者にはすぐに明らかになり、本明細書で定義された包括的な原理は本開示の趣旨または範囲から逸脱することなく他の態様に適用され得る。
【図１】
2014209747.tif 000003
【図２】
2014209747.tif 000004
【図３】
2014209747.tif 000005
【図４】
2014209747.tif 000006
【図５】
2014209747.tif 000007
【図６】
2014209747.tif 000008
【図７】
2014209747.tif 000009
【図８】
2014209747.tif 000010
【図９】
2014209747.tif 000011
【図１０】
2014209747.tif 000012
【図１１】
2014209747.tif 000013
【手続補正書】
【提出日】平成26年7月4日(2014.7.4)
【手続補正１】
【補正対象書類名】特許請求の範囲
【補正対象項目名】全文
【補正方法】変更
【補正の内容】
【特許請求の範囲】
【請求項１】
モバイルデバイスのロケーション推定値を判断するための方法であって、
前記モバイルデバイスが、第１の地理的エリアにいる間に、拡張支援データを受信することと、ここで、前記拡張支援データは、第２の地理的エリア中では適用可能であり、前記第１の地理的エリア中では適用不可能である支援データを備える、
前記モバイルデバイスが、前記拡張支援データをメモリに保存することと、
前記モバイルデバイスが、前記第２の地理的エリアにいる間に、前記第２の地理的エリア中で適用可能な前記支援データを使用してロケーション情報を取得することと、
前記モバイルデバイスが、前記モバイルデバイスの前記ロケーション推定値を判断するために前記ロケーション情報を与えることと
を備える、方法。
【手続補正２】
【補正対象書類名】明細書
【補正対象項目名】００４８
【補正方法】変更
【補正の内容】
【００４８】
場合によっては、図６に例示した方法は、シグナリングおよびバッテリー消費量を低減し、また、図２および図３に例示した方法を使用してロケーション推定値を判断することが普通なら失敗するはずである第２の地理的エリア４３０中でモバイルデバイス１０のロケーション推定値を判断することを可能にし得る。たとえば、モバイルデバイス１０は第１の地理的エリア４２０から第２の地理的エリア４３０に移動し、第２の地理的エリア４３０にいる間にネットワーク１５からの支援データを要求することができない。第２の地理的エリア４３０中で通信する能力のこの欠如は、（ａ）モバイルデバイス１０が第２の地理的エリア４３０中でネットワーク１５への通信リンクを有しないこと、（ｂ）モバイルデバイス１０が第２の地理的エリア４３０中でネットワーク１５と通信するためのサブスクリプションを有しないこと、または（ｃ）ネットワーク１５が第２の地理的エリア４３０中で支援データの要求および配信をサポートしないことに起因し得る。これらの状況では、図３のステップ７０および７５の実行は不可能である。したがって、（図６のステップ５０５、５１０および５１５に関して上記で説明したように）依然として第１の地理的エリア４２０にいる間に第２の地理的エリア４３０のための拡張支援データ２００を取得することは、図２および図３で説明した方法の制限を回避する。
【手続補正３】
【補正対象書類名】明細書
【補正対象項目名】００６０
【補正方法】変更
【補正の内容】
【００６０】
各サブセットは基地局アルマナックを含み得る。第１の地理的エリア４２０のための基地局アルマナック１０５は、第１の地理的エリア４２０中の基地局４１０のリストを含み得る。第２の地理的エリア４３０のための基地局アルマナック１１５は、第２の地理的エリア４３０中の基地局４１０のリストを含み得る。２つの基地局アルマナックは、相互排他的であるか、または部分的に重複し得る。リストされた各基地局４１０について、基地局アルマナック１０５、１１５は、（ａ）基地局ノードのタイプ（たとえば、ＣＤＭＡ２０００、ノードＢ（ＵＭＴＳ）、ｅノードＢ（ＬＴＥ）またはアクセスポイント（Ｗｉ−Ｆｉ））、（ｂ）ノードＩＤ、（ｃ）ノードの経度、（ｄ）ノードの緯度、（ｅ）（たとえば、１つまたは複数の近隣基地局４１０に関係する）ノードの送信タイミング、（ｆ）ノードの送信電力、（ｇ）基地局送信タイミングに対するＧＰＳまたはＧＮＳＳタイミング関係を含む、１つまたは複数の識別パラメータを含み得る。
【手続補正４】
【補正対象書類名】明細書
【補正対象項目名】００７０
【補正方法】変更
【補正の内容】
【００７０】
開示された態様の前述の説明は、当業者が本開示を実施または使用できるようにするために提供されるものである。これらの態様への様々な変更は当業者にはすぐに明らかになり、本明細書で定義された包括的な原理は本開示の趣旨または範囲から逸脱することなく他の態様に適用され得る。
以下に、本願出願の当初の特許請求の範囲に記載された発明を付記する。
［Ｃ１］
モバイルデバイスのロケーション推定値を判断するための方法であって、
第１の地理的エリアにいる間に、拡張支援データを受信することと、ここで、前記拡張支援データは、第２の地理的エリア中では適用可能であり、前記第１の地理的エリア中では適用不可能である支援データを備える、
前記拡張支援データをメモリに保存することと、
前記第１の地理的エリアから前記第２の地理的エリアに移動することと、
前記第２の地理的エリアにいる間に、前記第２の地理的エリア中で適用可能な前記支援データを使用してロケーション情報を取得することと、
前記モバイルデバイスの前記ロケーション推定値を判断するために前記ロケーション情報を与えることと
を備える、方法。
［Ｃ２］
前記第２の地理的エリアは、前記モバイルデバイスの将来のロケーションの予測に基づく、［Ｃ１］に記載の方法。
［Ｃ３］
前記第２の地理的エリアは、一連の過去のロケーションに基づく、［Ｃ１］に記載の方法。
［Ｃ４］
前記第２の地理的エリアは、前記モバイルデバイスの推定軌道に基づく、［Ｃ１］に記載の方法。
［Ｃ５］
前記第２の地理的エリアは、前記モバイルデバイスのルートに基づく、［Ｃ１］に記載の方法。
［Ｃ６］
前記第２の地理的エリアは、前記モバイルデバイスの目的地に基づく、［Ｃ１］に記載の方法。
［Ｃ７］
前記第２の地理的エリアは、ネットワーク構成に基づく、［Ｃ１］に記載の方法。
［Ｃ８］
前記ネットワークから支援データを要求することをさらに備える、［Ｃ１］に記載の方法。
［Ｃ９］
前記ネットワークから支援データを要求する前記行為は、前記モバイルデバイスから前記ネットワークに、前記モバイルデバイスのルーティング情報を与えることを備える、［Ｃ８］に記載の方法。
［Ｃ１０］
前記拡張支援データは、前記第１の地理的エリア中で適用可能な支援データをさらに備える、［Ｃ１］に記載の方法。
［Ｃ１１］
前記第１の地理的エリア中で適用可能な前記支援データを使用して前記第１の地理的エリア中のロケーション情報を取得することをさらに備える、［Ｃ１０］に記載の方法。
［Ｃ１２］
前記拡張支援データを使用して、前記第１の地理的エリア内の前記ロケーション推定値を推定するための複数の信号を受信することをさらに備える、［Ｃ１０］に記載の方法。
［Ｃ１３］
前記拡張支援データを使用して、前記第２の地理的エリア内の前記ロケーション推定値を推定するための複数の信号を受信することをさらに備える、［Ｃ１］に記載の方法。
［Ｃ１４］
前記ロケーション情報を与えることは、前記モバイルデバイスによって、前記第２の地理的エリア中の前記ロケーション推定値を判断することを備える、［Ｃ１］に記載の方法。
［Ｃ１５］
前記ロケーション情報を与えることは、前記ロケーション情報をネットワークに送ることによって、前記ネットワークが前記ロケーション推定値を判断することを支援することを備える、［Ｃ１］に記載の方法。
［Ｃ１６］
ロケーション情報は、前記第２の地理的エリアからの信号測定値を備える、［Ｃ１］に記載の方法。
［Ｃ１７］
前記第２の地理的エリア中のロケーション推定値を判断するための前記信号測定値をネットワークに送信することをさらに備える、［Ｃ１６］に記載の方法。
［Ｃ１８］
モバイルデバイスのロケーション推定値を判断するためのモバイルデバイスであって、前記モバイルデバイスが、基地局受信機と、基地局送信機と、プロセッサと、メモリとを備え、前記メモリが、
第１の地理的エリアにいる間に、拡張支援データを受信することと、ここで、前記拡張支援データは、第２の地理的エリア中では適用可能であり、前記第１の地理的エリア中では適用不可能である支援データを備える、
前記拡張支援データをメモリに保存することと、
前記第２の地理的エリアにいる間に、前記第２の地理的エリア中で適用可能な前記支援データを使用してロケーション情報を取得することと、
前記モバイルデバイスの前記ロケーション推定値を判断するために前記ロケーション情報を与えることと
を行うためのコードを備える、モバイルデバイス。
［Ｃ１９］
前記第２の地理的エリアは、
前記モバイルデバイスの将来のロケーションの予測、
一連の過去のロケーション、
前記モバイルデバイスの推定軌道、
前記モバイルデバイスのルート、および
前記モバイルデバイスの目的地
のうちの少なくとも１つに基づく、［Ｃ１８］に記載のモバイルデバイス。
［Ｃ２０］
前記拡張支援データは、前記第１の地理的エリア中で適用可能な支援データをさらに備える、［Ｃ１８］に記載のモバイルデバイス。
［Ｃ２１］
前記拡張支援データを使用して、前記第２の地理的エリア内の前記ロケーション推定値を推定するための複数の信号を受信するためのコードをさらに備える、［Ｃ１８］に記載のモバイルデバイス。
［Ｃ２２］
前記ロケーション情報を与えるための前記コードは、前記モバイルデバイスによって、前記第２の地理的エリア中の前記ロケーション推定値を判断するためのコードを備える、［Ｃ１８］に記載のモバイルデバイス。
［Ｃ２３］
前記ロケーション情報を与えるための前記コードは、前記ロケーション情報をネットワークに送ることによって、前記ネットワークが前記ロケーション推定値を判断することを支援するためのコードを備える、［Ｃ１８］に記載のモバイルデバイス。
［Ｃ２４］
モバイルデバイスのロケーション推定値を判断するためのモバイルデバイスであって、
第１の地理的エリアにいる間に、拡張支援データを受信するための手段と、ここで、前記拡張支援データは、第２の地理的エリア中では適用可能であり、前記第１の地理的エリア中では適用不可能である支援データを備える、
前記拡張支援データをメモリに保存するための手段と、
前記第２の地理的エリアにいる間に、前記第２の地理的エリア中で適用可能な前記支援データを使用してロケーション情報を取得するための手段と、
前記モバイルデバイスの前記ロケーション推定値を判断するために前記ロケーション情報を与えるための手段と
を備える、モバイルデバイス。
［Ｃ２５］
モバイルデバイスのロケーション推定値を判断するためのモバイルデバイスであって、前記モバイルデバイスが、プロセッサと、メモリとを備え、前記メモリが、
第１の地理的エリアにいる間に、拡張支援データを受信することと、ここで、前記拡張支援データは、第２の地理的エリア中では適用可能であり、前記第１の地理的エリア中では適用不可能である支援データを備える、
前記拡張支援データをメモリに保存することと、
前記第２の地理的エリアにいる間に、前記第２の地理的エリア中で適用可能な前記支援データを使用してロケーション情報を取得することと、
前記モバイルデバイスの前記ロケーション推定値を判断するために前記ロケーション情報を与えることと
を行うための命令を備える、モバイルデバイス。
［Ｃ２６］
モバイルデバイスのロケーション推定値を判断するための、前記モバイルデバイスのためのそこに記憶されたプログラムコードを備えるコンピュータ可読記憶媒体であって、前記プログラムコードが、
第１の地理的エリアにいる間に、拡張支援データを受信することであって、前記拡張支援データが、第２の地理的エリア中では適用可能であり、前記第１の地理的エリア中では適用不可能である支援データを備える、受信することと、
前記拡張支援データをメモリに保存することと、
前記第２の地理的エリアにいる間に、前記第２の地理的エリア中で適用可能な前記支援データを使用してロケーション情報を取得することと、
前記モバイルデバイスの前記ロケーション推定値を判断するために前記ロケーション情報を与えることと
を行うためのプログラムコードを含む、コンピュータ可読記憶媒体。
［Ｃ２７］
ネットワークによって、第１の地理的エリア中のモバイルデバイスのための拡張支援データを準備する方法であって、
第２の地理的エリアをそれによって定義する、識別すべき基地局を判断することと、
前記拡張支援データを準備することと、ここで、前記拡張支援データは、前記第２の地理的エリア中では適用可能であり、前記第１の地理的エリア中では知られている適用不可能である支援データを備える、
前記モバイルデバイスが第１の地理的エリアにいる間に前記拡張支援データを前記モバイルデバイスに送ることと
を備える、方法。
［Ｃ２８］
前記第１の地理的エリア中の前記モバイルデバイスから支援データ要求を受信することをさらに備える、［Ｃ２７］に記載の方法。
［Ｃ２９］
識別すべき前記基地局を判断する前記行為は、前記第１の地理的エリア中の前記モバイルデバイスから前記支援データ要求を受信する前記行為によってトリガされる、［Ｃ２８］に記載の方法。
［Ｃ３０］
識別すべき前記基地局を判断する前記行為は、前記ネットワークによって、前記基地局を判断する前記行為をトリガすることを備える、［Ｃ２７］に記載の方法。
［Ｃ３１］
トリガする前記行為は、少なくとも１つのネットワークパラメータに基づく、［Ｃ３０］に記載の方法。
［Ｃ３２］
前記少なくとも１つのネットワークパラメータが、
（ａ）前記モバイルデバイスから受信されたパラメータ、
（ｂ）過去の期間中に行われたいくつかの位置トランザクション、
（ｃ）前記ネットワークによって作成された一連の以前のロケーション推定値、
（ｄ）ネットワーク構成の一部として与えられた展開情報、
（ｅ）前記モバイルデバイスのプロファイル
のうちの少なくとも１つに基づく、［Ｃ３１］に記載の方法。
［Ｃ３３］
第１の地理的エリア中のモバイルデバイスのための拡張支援データを準備するためのネットワークエンティティであって、
第２の地理的エリアをそれによって定義する、識別すべき基地局を判断するための手段と、
前記拡張支援データを準備するための手段と、ここで、前記拡張支援データは、前記第２の地理的エリア中では適用可能であり、前記第１の地理的エリア中では知られている適用不可能である支援データを備える、
前記モバイルデバイスが第１の地理的エリアにいる間に、前記拡張支援データを前記モバイルデバイスに送るための手段と
を備える、ネットワークエンティティ。
［Ｃ３４］
第１の地理的エリア中のモバイルデバイスのための拡張支援データを準備するためのネットワークエンティティであって、前記ネットワークエンティティがプロセッサとメモリとを備え、前記メモリが、
第２の地理的エリアをそれによって定義する、第１の地理的エリア中の前記モバイルデバイスのための、識別すべき基地局を判断することと、
前記拡張支援データを準備することと、ここで、前記拡張支援データは、前記第２の地理的エリア中では適用可能であり、前記第１の地理的エリア中では知られている適用不可能である支援データを備える、
前記モバイルデバイスが第１の地理的エリアにいる間に、前記拡張支援データを前記モバイルデバイスに送ることと
を行うためのコードを備える、ネットワークエンティティ。
［Ｃ３５］
モバイルデバイスのロケーション推定値を判断するためのネットワークエンティティのためのそこに記憶されたプログラムコードを備えるコンピュータ可読記憶媒体であって、前記プログラムコードが、
第２の地理的エリアをそれによって定義する、第１の地理的エリア中の前記モバイルデバイスのための、識別すべき基地局を判断することと、
前記拡張支援データを準備することと、ここで、前記拡張支援データは、前記第２の地理的エリア中では適用可能であり、前記第１の地理的エリア中では知られている適用不可能である支援データを備える、
前記モバイルデバイスが第１の地理的エリアにいる間に、前記拡張支援データを前記モバイルデバイスに送ることと
を行うためのプログラムコードを含む、コンピュータ可読記憶媒体。
【手続補正５】
【補正対象書類名】図面
【補正対象項目名】図３
【補正方法】変更
【補正の内容】
【図３】
2014209747.tif 000014
【外国語明細書】
2014209747000001.pdf